(57)【要約】      （修正有）【課題】複数のフックを効率よく使用でき、未使用のフックでも邪魔とならず見栄えを向上させ、重たい荷物等でも引き掛け可能で、更に、持ち手がフックから外れるのを防止できるスライド式フック装置を提供する。【解決手段】このスライド式フック装置１は、被取付パネルＰに固定手段を介して固定されるベース部材１０と、このベース部材１０に保持された複数のフック３０，４０とを備え、前記フック３０，４０は、ベース部材１０から延出される軸部３１，５１と、この軸部の突出端部に形成された引掛け部３２，５２とを有し、少なくとも１つのスライドフック４０は、ベース部材１０上でスライド可能に保持され、同スライドフック４０をスライドさせ、隣接する固定フック３０に当接させたとき、フック３０,４０どうしの引掛け部３２，５２が整合するように構成されている。【選択図】図１
2010119644.tif 000002
【特許請求の範囲】
【請求項１】
被取付パネルに固定手段を介して固定されるベース部材と、このベース部材に保持された複数のフックとを備え、前記フックは、ベース部材から延出される軸部と、この軸部の突出端部に形成された引掛け部とを有しており、前記フックの少なくとも１つは、前記ベース部材上でスライド可能に保持されており、前記スライド可能なフックをスライドさせて、隣接するフックに当接させたとき、当接されたフックどうしの前記引掛け部が整合するように構成されていることを特徴とするスライド式フック装置。
【請求項２】
前記複数のフックの少なくとも一つは、前記ベース部材に一体的に形成されている請求項１記載のスライド式フック装置。
【請求項３】
前記固定手段は、前記ベース部材の少なくとも二箇所に形成されており、そのうちの少なくとも一つは前記ベース部材の一端に形成され、前記被取付パネルの取付孔の裏側周縁に係合してベース部材を抜け止め保持する抜け止めフックとされている請求項２記載のスライド式フック装置。
【請求項４】
スライド保持されたフックの引掛け部及びそれに隣接するフックの引掛け部の整合する部分は、その一方が凹形状をなし、他方が凸形状をなしており、両フックが当接したときに、引掛け部どうしが凹凸整合するように構成されている請求項１〜３のいずれか１つに記載のスライド式フック装置。
【請求項５】
前記フックの引掛け部は、隣接するものどうしで整合させたとき、前記軸部の軸方向から見てほぼ円形状をなすように構成されている請求項１〜４のいずれか１つに記載のスライド式フック装置。
【発明の詳細な説明】
【技術分野】
【０００１】
本発明は、複数のフックの少なくとも１つを、所定位置にスライドさせることができる、スライド式フック装置に関する。
【背景技術】
【０００２】
例えば、車両室内のシートの背面や側方には、買物袋やコンビニ袋等を引き掛けるためのフック装置が設けられている。近年では利便性を考慮して、この種のフック装置が複数個設けられていることが多い。
【０００３】
フック装置が複数個設けられたものとして、下記特許文献１には、自動車のパネル開口に、ヒンジを介して回転可能に取付けられ、所定深さで窪んだ形状をなすカップと、該カップの窪んだ凹部内方から突設されたフックとを備えた、自動車用フック装置（アクセサリフック）が開示されている。また、このようなフック装置が、自動車の荷室壁面に、横方向に沿って所定間隔を設けて複数配置されている。
【０００４】
そして、フック使用時には、カップを回転させて、フック側を開口前面に配置することにより、フックに荷物等を引き掛けることができる。一方、フック不使用時には、カップを前記とは反対方向に回転させることにより、フックを開口前面から隠すと共に、カップ背面の化粧壁を開口側に配置させて、美観を呈するように構成されている。
【特許文献１】特表２０００−５１２９４６号公報
【発明の開示】
【発明が解決しようとする課題】
【０００５】
上記特許文献１の第１図又は第６図の実施例では、複数のフック又はフック装置が単に横方向に並べられているので、特定のフックのみを使用した場合、他のフックが邪魔となる。すなわち、未使用のフックに荷物の持ち手等が引っ掛かったり、パネル前面側に配置された未使用のフックにより、見栄えが悪くなったりする。また、第３図の実施例では、使用しないフック装置のカップを逐次回転させることにより不使用状態にでき、邪魔にはならないが、この作業は煩雑かつ面倒であった。
【０００６】
また、重たい荷物等をフックに引き掛けたい場合があるが、上記のようにフック装置それぞれの、一個のフックのみでは強度的に限界があり、引き掛けることができないことがある。
【０００７】
更に、買物袋やコンビニ袋等が大きくて、その底部を車両の床面に着けた状態で、持ち手をフックに引き掛けようとした場合、前記持ち手が前記フックから浮き上がってしまって外れてしまう虞れがある。
【０００８】
したがって、本発明の目的は、複数のフックを効率よく使用できると共に、使用しないフックでも邪魔とならず、見栄えを向上させることができ、また、重たい荷物等でも問題なく引き掛け可能で、更に、持ち手がフックから外れることを確実に防止できる、スライド式フック装置を提供することにある。
【課題を解決するための手段】
【０００９】
上記目的を達成するため、本発明の第１は、被取付パネルに固定手段を介して固定されるベース部材と、このベース部材に保持された複数のフックとを備え、前記フックは、ベース部材から延出される軸部と、この軸部の突出端部に形成された引掛け部とを有しており、前記フックの少なくとも１つは、前記ベース部材上でスライド可能に保持されており、前記スライド可能なフックをスライドさせて、隣接するフックに当接させたとき、当接されたフックどうしの前記引掛け部が整合するように構成されていることを特徴とするスライド式フック装置を提供するものである。
【００１０】
上記発明によれば、ベース部材に複数のフックが保持されているので、それぞれのフックにコンビニ袋や買い物袋などを引き掛けて使用することができる。
【００１１】
また、コンビニ袋などをゴミ袋として使用する場合には、隣接するフックどうしの間隔を開けて配置し、その持ち手を別々のフックに引き掛けることによって、コンビニ袋の開口部を大きく広げて保持できるので、ゴミを入れ易く、かつ、揺れにくくなり、ゴミ袋として利用しやすくなる。
【００１２】
更に、スライド可能なフックをスライドさせて隣接するフックに当接させた場合には、両フックの引掛け部が整合するので、強度を向上させた１つのフックとして利用することができ、重たい荷物等でも問題なく引き掛けることができ、更に、使用していないフックが邪魔になることもなく、外観上の見栄えもよくなる。
【００１３】
更に、コンビニ袋などの底部を車両などの床面に着けた状態で使用する場合、持ち手が浮き上がってフックから外れてしまう虞れがあるが、隣接するフックの間に持ち手の一側を挟むことにより、持ち手がフックから外れることを防止できる。
【００１４】
本発明の第２は、前記第１の発明において、前記複数のフックの少なくとも一つは、前記ベース部材に一体的に形成されているスライド式フック装置を提供するものである。
【００１５】
上記発明によれば、ベース部材に一体的に形成されたフックの強度を向上させることができ、重いものでも十分に引き掛けることができると共に、部品点数を減らして構造を簡略化することができる。
【００１６】
本発明の第３は、前記第２の発明において、前記固定手段は、前記ベース部材の少なくとも二箇所に形成されており、そのうちの少なくとも一つは前記ベース部材の一端に形成され、前記被取付パネルの取付孔の裏側周縁に係合してベース部材を抜け止め保持する抜け止めフックとされているスライド式フック装置を提供するものである。
【００１７】
上記発明によれば、ベース部材に形成された抜け止めフックが、被取付パネルの取付孔に係合して、ベース部材が抜け止め保持されているので、重いものでも、しっかりと安定して引き掛け支持することができる。
【００１８】
本発明の第４は、前記第１〜３のいずれか１つの発明において、スライド保持されたフックの引掛け部及びそれに隣接するフックの引掛け部の整合する部分は、その一方が凹形状をなし、他方が凸形状をなしており、両フックが当接したときに、引掛け部どうしが凹凸整合するように構成されているスライド式フック装置を提供するものである。
【００１９】
上記発明によれば、一方のフックに持ち手を引き掛けて、他方のフックを当接させて挟み込んだとき、両引掛け部どうしが凹凸整合するので、挟み込まれた持ち手が両引掛け部の間から抜けにくくすることができる。
【００２０】
本発明の第５は、前記第１〜４のいずれか１つの発明において、前記フックの引掛け部は、隣接するものどうしで整合させたとき、前記軸部の軸方向から見てほぼ円形状をなすように構成されているスライド式フック装置を提供するものである。
【００２１】
上記発明によれば、隣接するフックを当接させて、両引掛け部どうしが整合したときに、両引掛け部がほぼ円形状をなすので、重い買物袋等の持ち手などを引き掛ける際に、円形の引掛け部にスムーズに引っ掛けることができるので、使い勝手を向上させることができると共に、見栄えも向上させることができる。
【発明の効果】
【００２２】
本発明によれば、ベース部材に複数のフックが保持されているので、それぞれのフックにコンビニ袋や買い物袋などを引き掛けて使用することができる。
【００２３】
また、スライド可能なフックをスライドさせて隣接するフックに当接させると、両フックの引掛け部が整合するので、強度を向上させた１つのフックとして利用でき、未使用のフックが邪魔になることもなく、外観上の見栄えもよくなる。
【００２４】
更に、一対のフックの間に持ち手の一側を挟むことにより、コンビニ袋などの底部を車両などの床面に着けた状態で使用しても、持ち手が浮き上がって外れることを確実に防止することができる。
【発明を実施するための最良の形態】
【００２５】
以下、図１〜１０を参照して、本発明のスライド式フック装置の一実施形態について説明する。
【００２６】
この実施形態におけるスライド式フック装置１（以下、「フック装置１」という）は、自動車のシート背面や荷室側面に配置された被取付パネルＰ（図３参照）に固定されるベース部材１０と、該ベース部材１０に保持された複数のフック３０，４０とを備えており、少なくとも１つのフックがスライド可能となるように構成されている。この実施形態では、ベース部材１０に固定された固定フック３０と、スライド可能とされたスライドフック４０とを備えている。
【００２７】
まず、ベース部材１０について説明する。図１，３に示すように、ベース部材１０は、所定長さで伸びる底壁１１と、この底壁１１の周縁から立設した周壁１２とを有し、上方が開口した長尺箱状をなしている。前記周壁１２の内側に、スライドフック４０を所定方向にスライド可能に保持する収容凹部１３が形成されている。また、周壁１２の先端外周からは、被取付パネルＰの表面側に配置されるトリム部材Ｔ（図３参照）の開口部Ｔａの周縁に係合する、フランジ部１４が外径方向に向かって突設されている。
【００２８】
また、周壁１２内側の収容凹部１３の、長手方向に沿った対向する内側面１３ａ，１３ａには、スライドフック４０のスライド方向に沿って、所定深さでガイド溝１５，１５がそれぞれ形成されている。このガイド溝１５には、図５（ａ）に示すように、後述するスライドフック４０のガイド突起６２が挿入されて、同スライドフック４０をスライド可能に保持する部分となっている。
【００２９】
更に、収容凹部１３の内側面１３ａ，１３ａには、前記ガイド溝１５に沿って所定間隔で、前記スライドフック４０のスライド移動を規制して停止した状態にロックする、ロック凹部１６が形成されている。図３に示すように、この実施形態では、スライド方向に伸びるガイド溝１５に対し直交して、４つのロック凹部１６が形成されており、スライドフック４０を、ガイド溝１５に対して４個所でロックできるようになっている。
【００３０】
また、底壁１１裏側の長手方向一端からは、長手方向の外方に向かって、抜け止めフック１７が突設されている。この抜け止めフック１７は、被取付パネルＰの第１取付孔Ｐ１（図３参照）の裏側周縁に係合して、ベース部材１０を抜け止め保持するもので、本発明における「固定手段」の一つを構成している。また、抜け止めフック１７の先端部は、フランジ部１４側へ折曲されており、抜け止め効果が高められている。
【００３１】
前記底壁１１の長手方向の他端には、角形状のピン差込孔１８が形成されている。また、図４（ａ）に示すように、このピン差込孔１８裏側の対向する箇所には、それぞれ係合段部１８ａ，１８ａが設けられている。更に、ピン差込孔１８の裏側周縁からは、被取付パネルＰの第２取付孔Ｐ２（図３参照）に挿入される、角筒状の挿入筒２０がベース部材１０に一体的に延設されている。図１に示すように、挿入筒２０の対向する一対の側壁２１，２１には、コ字状のスリット２１ａを介して、撓み可能な弾性係止片２２，２２がそれぞれ形成されており、この弾性係止片２２が前記第２取付孔Ｐ２の裏側周縁に係合する部分となる。すなわち、この弾性係止片２２が、本発明における「固定手段」のもう一つとなっている。なお、挿入筒２０はベース部材１０に一体的でなくともよく、別体でもよい。
【００３２】
上記挿入筒２０に関連して説明すると、図１，３，４に示すように、この挿入筒２０内に挿入される係合解除ピン２４は、円板状の頭部２５と、該頭部２５の片面から突設し、その先端突出面が側方から見て略ハの字状をなす基部２６と、該基部２６の対向する両側面に突設された弾性係止爪２７，２７と、前記基部２６の、弾性係止爪２７，２７とは直交する両側面から延出され、その先端外方に係止爪２８ａが突設された一対の板状片２８，２８とを有している。
【００３３】
そして、板状片２８，２８を弾性係止片２２，２２に直交して配置させた状態で、ピン差込孔１８から係合解除ピン２４を挿入することにより、板状片２８先端の係止爪２８ａが挿入筒２０の先端開口部に係合して（図３参照）、係合解除ピン２４が挿入筒２０に係合保持される。その後、挿入筒２０を第２取付孔Ｐ２に挿入することにより、各弾性係止片２２が第２取付孔Ｐ２の裏側周縁に係合し（図４（ａ）参照）、前記抜け止めフック１７と相まってベース部材１０が被取付パネルＰに固定される（図３参照）。
【００３４】
また、上記状態で係合解除ピン２４を押し込むと、ハの字状の基部２６が各弾性係止片２２の先端部２２ａ，２２ａを押圧して、一対の弾性係止片２２，２２を第２取付孔Ｐ２に係合しない程度に内方に撓ませ、かつ、各弾性係止爪２７がベース部材１０のピン差込孔１８裏側の係合段部１８ａに係合して（図４（ｂ）参照）、一対の弾性係止片２２，２２が内方に撓んだ状態に維持されて、その結果、挿入筒２０を第２取付孔Ｐ２から引き抜き可能となる。
【００３５】
次にフックについて説明する。この実施形態では、図１に示すように、ベース部材１０の長手方向一端であって、前記抜け止めフック１７に整合した位置に、ベース部材１０に対して固定された固定フック３０が突設されている。すなわち、この固定フック３０は、ベース部材１０の長手方向一端であって、収容凹部１３の開口部周縁から外方に向けて所定長さで延出された角筒状の軸部３１と、該軸部３１の突出端部に形成された引掛け部３２とを有している。
【００３６】
この実施形態の引掛け部３２は、軸部３１の軸方向から見て略半円形状をなしており、その半径中心Ｃ（図８参照）を通る直線に沿った内側面３２ａが、前記軸部３１の内側面３１ａ（図１参照）に整合して配置されており、両面３１ａ，３２ａが連続して段差のない平坦面とされている。また、引掛け部３２は、半径中心近傍が最も高く突出して、その周辺が外方に向かって次第に高さが低くなるように形成されている。
【００３７】
更に、引掛け部３２の表面側からは、半円形の引掛け部３２の外周形状に対して、同心状に半円形をなした凹部３３が所定深さで形成されている。この凹部３３の底面の高さは、スライドフック４０の本体５０（後述）に対して、最大限深く押し込んだ状態のピン部材７０（後述）の上面の高さよりも、低くなるように設定されており、ピン部材７０を奥深くまで完全に押し込むことができるようになっている。
【００３８】
次に、ベース部材１０の収容凹部１３にスライド可能に保持されるスライドフック４０について説明する。図１，２に示すように、このスライドフック４０は、ピン挿通孔５１ａを有する本体５０と、該本体５０のピン挿通孔５１ａに挿入されるピン部材７０とを有している。
【００３９】
図１〜３及び図５〜７を参照して本体５０について説明する。この本体５０は、ベース部材１０の収容凹部１３の開口から外方に延出される軸部５１と、この軸部５１の突出端部に形成された引掛け部５２とを有している。軸部５１は、所定間隔を設けて互いに平行に配置された所定幅の一対の側壁５４，５４と、該側壁５４，５４の両側縁部どうしに連結されると共に、側壁５４よりも幅狭の一対の連結壁５５，５５とからなる、軸方向両端が開口した角筒状をなしている。この角筒状の軸部５１の基端側開口部が、前記ピン挿通孔５１ａをなしており、図２に示すように、このピン挿通孔５１ａは長孔状となっている。
【００４０】
また、引掛け部５２は、前記固定フック３０の引掛け部３２と同様に、軸部５１の軸方向から見て略半円形状をなし、その半径中心Ｃ（図８参照）を通る直線に沿った側面５２ａが、前記軸部５１の一側壁５４の側面５４ａに整合して配置されており、両面５２ａ，５４ａが連続して段差のない平坦面とされている。
【００４１】
したがって、スライドフック４０を隣接する固定フック３０に当接させたときに、固定フック３０の軸部３１の内側面３１ａと、スライドフック４０の軸部５１の側面５４ａとがぴったりと密接して、軸部３１，５１どうしが一体化して一つの大きな軸部になると共に（図３参照）、固定フック３０の引掛け部３２の内側面３２ａと、スライドフック４０の引掛け部５２の側面５２ａとがぴったりと密接して、半円形状の引掛け部３２，５２どうしが一体化して、軸方向から見てほぼ円形状をなすようになっている（図８参照）。
【００４２】
このように、このフック装置１においては、複数のフックを備えており、これらフックの少なくとも１つは、ベース部材１０上でスライド可能に保持されており、スライド可能なフックをスライドさせて、隣接するフックに当接させたとき、当接されたフックどうしの引掛け部が整合して１つのフックとして機能できるように構成されている。
【００４３】
ここで、フックどうしの引掛け部が整合するとは、上述したように隣接するフックどうしの引掛け部がぴったりと密接することが要求されるわけではなく、例えば、引掛け部どうしの間に隙間等があっても、１つのフックとしての外観を確保しながら、荷物を引き掛けられたり、又は、袋の持ち手を挟み込んだときに容易に外れたりしないように、構成されていればよい。
【００４４】
なお、この実施形態では、固定フック３０及びスライドフック４０の２つとなっているが、それ以上の個数でも勿論よく、その際の各フックの引掛け部の形状も適宜決定することができる。
【００４５】
また、引掛け部５２は、半径中心近傍が最も高く突出して、その周辺が外方に向かって次第に高さが低くなるように形成されている。引掛け部５２の突出した表面中央部には、前記軸部５１のピン挿通孔５１ａに連通すると共に、後述するピン部材７０の頭部７１に適合した形状で、収容凹部５２ａが所定深さで形成されている。また、前記軸部５１の一側壁５４（固定フック側の側壁）の所定箇所には、軸方向にやや長く伸びる長孔状の抜け止め孔５４ｂが形成されている。
【００４６】
更に本体５０は、図２に示すように、収容凹部１３のガイド溝１５に挿入されてスライド可能に保持されるガイド突起６２と、収容凹部１３の内側面に対向する側面から、内側に撓み可能に突出され、ロック凹部１６に位置したときに該ロック凹部１６に係合する係合片５７とを有している。
【００４７】
具体的に説明すると、本体５０を構成する各連結壁５５の軸部５１先端側には、コ字状のスリット５６を介して、本体５０の内方及び外方に撓み可能とされた、係合片５７，５７がそれぞれ形成されている。図６，７に示すように、係合片５７は、その基端部５８が前記連結壁５５の先端側に連結され、先端部５９が前記ピン挿通孔５１ａの入口方向に向けて該ピン挿通孔５１ａ内に入り込むように延出した形状をなしている。また、前記基端部５８の外側面は、引掛け部５２に向かって次第に外方に突出した形状をなし、前記先端部５９の外側面は、引き掛け部５２に向かって次第に突出高さが低くなる斜面５９ａをなしている。そして、この係合片５７は、後述するピン部材７０が所定距離押し込まれたときに、その先端部５９が、同ピン部材７０の押圧部７５に押圧されて内方に撓むようになっている。
【００４８】
前記係合片５７の、基端部５８及び先端部５９の間の外側面からは、ロック突起６０が突設されている。このロック突起６０は、本体５０に対してピン部材７０が押し込まれていない状態で、本体５０の外方に突出するように設定されている。このロック突起６０が、ベース部材１０のロック凹部１６に係合して、スライドフック４０を所定位置で停止した状態にロックさせる役割をなしている。
【００４９】
また、図６（ｂ）に示すように、ロック突起６０の幅方向両側の外側面は、ロック突起６０の突出先端部を次第に幅狭にするテーパ部６０ａ，６０ａをなしており、このテーパ部６０ａ，６０ａが、前記ロック凹部１６の内側面に係合するようになっている。すなわち、前記ロック凹部１６と係合片５７とは、テーパ部６０ａで係合するように構成されている。これに関連して説明すると、係合片５７側のロック突起６０にテーパ部を設けず、ベース部材１０側のロック凹部１６の内側面にテーパ部を設けてもよく、ロック凹部の内側面及び／又は係合片のロック突起６０の外側面にテーパ部が形成されていればよい。
【００５０】
各連結壁５５の、前記ロック突起６０よりも引掛け部５２側には、前記収容凹部１３のガイド溝１５に挿入されるガイド突起６２が設けられている。この実施形態では、連結壁５５の、コ字状のスリット５６の両側から、ガイド突起６２，６２がそれぞれ突設され、係合片５７の両側に一対のガイド突起６２，６２が設けられた構造をなしている。また、図５（ｂ）に示すように、各ガイド突起６２の外側角部６２ａは、円弧状に丸みを帯びている。
【００５１】
次に、上記本体５０に組付けられるピン部材７０について説明すると、このピン部材７０は、前記本体５０の凹部５２ｃに適合した形状をなす頭部７１と、この頭部７１の片面から延出した差込部７２とを有している。この差込部７２は、ピン挿通孔５１ａの短径幅に適合した一対の側壁７３，７３と、これらの側壁７３，７３に連結されると共に、ピン挿通孔５１ａの長径幅に適合した板状壁７４とからなり、一側方が開口したコ字枠状をなしている（図２，３，６参照）。
【００５２】
更に、このピン部材７０は、ピン挿通孔５１ａを通して本体５０内に挿入され、係合片５７に当接して所定距離押し込まれたときに、同係合片５７をロック凹部１６に係合しない程度に内方に撓ませる押圧部７５を有している。この実施形態では、前記差込部７２の先端面が押圧部７５をなしており、これが前記係合片５７の各先端部５９を押圧して、係合片５７を内方に撓ませて、その外側面から突出したロック突起６０を、ロック凹部１６から外させる部分となっている。図６,７に示すように、この押圧部７５は、その中央部が差込部７２基端側に深く凹み、その凹んだ部分から差込部７２の幅方向両側に向かって次第に高く突出するように傾斜した２つの斜面７５ａ，７５ａが形成されており、側方から見たときに略ハの字状に広がった形状をなしている。
【００５３】
また、前記板状壁７４の長さ方向ほぼ中央には、コ字状のスリット７４ａを介して、先端外方に抜け止め突起７７を設けた、抜け止め片７６が撓み可能に形成されている。この抜け止め片７６の抜け止め突起７７が、前記本体５０の抜け止め孔５４ｂに係合して、ピン部材７０が本体５０のピン挿通孔５１ａに挿入された状態に抜け止め保持されるようになっている。すなわち、この実施形態では、本体５０の抜け止め孔５４ｂと、ピン部材７０の抜け止め突起７７とが、ピン部材７０と本体５０との間に設けられた、ピン部材７０を本体５０のピン挿通孔５１ａに挿入した状態に保持するための抜け止め手段をなしている。また、ピン部材７０が抜け止め手段によって保持されている状態で、ピン部材７０の押圧部７５が係合片５７に当接して、係合片５７を内方にやや撓ませた状態となるように構成されている。
【００５４】
すなわち、上記構造のピン部材７０の差込部７２を、ピン挿通孔５１ａを通して本体５０内に挿入して押し込むことにより、差込部７２先端の押圧部７５が、各係合片５７の先端部５９に当接し押圧して、一対の係合片５７を内方にやや撓ませると共に、ピン部材７０に形成された抜け止め片７６の抜け止め突起７７が、本体５０の抜け止め孔５４ｂに係合して、ピン部材７０が係合片５７の弾性復元力によって常時引き抜き方向に付勢され、前記抜け止め手段によって抜け止め保持される（図６（ａ）参照）。
【００５５】
上記状態で、ピン部材７０を係合片５７の弾性力に抗して所定距離押し込むことにより、ピン部材７０の押圧部７５によって各係合片５７の先端部５９が押圧されて、各係合片５７のロック突起６０がベース部材１０のロック凹部１６から外れて、スライドフック４０のロック状態を解除できるようになっている（図７参照）。また、ピン部材７０を押し込むのを止めると、各係合片５７が弾性復帰して再び拡開するようになっている。
【００５６】
以上説明したベース部材１０と、これに一体形成された挿入筒２０，係合解除ピン２４，固定フック３０と、スライドフック４０とは、この実施形態の場合、ポリエチレン（ＰＥ）、ポリアセタール（ＰＯＭ）等の合成樹脂から形成されている。
【００５７】
次に、上記構成からなるフック装置１の使用方法について説明する。
【００５８】
まず、スライドフック４０をベース部材１０にスライド可能に組付ける。すなわち、スライドフック４０のガイド突起６２を、同スライドフック４０のスライド方向に向けて、ベース部材１０の収容凹部１３の上方開口部からスライドフック４０を挿入し、その後スライドフック４０をほぼ９０度回転させて、ガイド突起６２をガイド溝１５に嵌入させることにより、図５（ａ）に示すように、ベース部材１０にフライドフック４０をスライド可能に抜け止め保持させることができる。このとき、この実施形態では、少なくともスライドフック４０を金属よりも柔軟な合成樹脂製としたので、上述したスライドフック４０の回転組付け作業を無理なく行うことができる。また、図５（ｂ）に示すように、各ガイド突起６２の外側角部６２ａは、円弧状に丸みを帯びているので、上記回転組み付け作業時に、ガイド溝１５に引っ掛かりにくく、スムーズに組付けることが可能となる。
【００５９】
このように、収容凹部１３開口からスライドフック４０を挿入し、回転させるだけの簡単な作業で、スライドフック４０をベース部材１０に装着させることができ、スライドフック４０の装着作業が容易となる。
【００６０】
次いで、フック装置１を、自動車のシート背面や側面、或いは、荷室の側壁に配置された被取付パネルＰに取付ける。図３に示すように、この被取付パネルＰの表面側には、ベース部材１０に適合した長孔状の開口部Ｔａを有するトリム部材Ｔが配置されている。また、被取付パネルＰには、第１取付孔Ｐ１、第２取付孔Ｐ２がそれぞれ形成されている。図８に示す場合、これらの取付孔Ｐ１，Ｐ２は左右方向に一列に配置され、ベース部材１０に対するスライドフック４０のスライド方向が左右方向となるように、フック装置１が横向きで被取付パネルＰに固定されるようになっている。
【００６１】
そして、フック装置１のベース部材１０を、トリム部材Ｔの開口部Ｔａに挿入して、フランジ部１４を開口部Ｔａ周縁に係合させる。それと共に、ベース部材１０裏側の抜け止めフック１７を、被取付パネルＰの第１取付孔Ｐ１に挿入してその裏側周縁に係合させ、その後、ベース部材１０裏側から突出した挿入筒２０を第２取付孔Ｐ２に挿入して、一対の弾性係止片２２，２２を第２取付孔Ｐ２の裏側周縁に係合させることにより（図４（ａ）参照）、被取付パネルＰにフック装置１を取付けることができる。
【００６２】
以上のようにフック装置１を、被取付パネルＰに取付けることにより、被取付パネルＰを覆うトリム部材Ｔの表面から複数のフックが突設されることとなり、それぞれのフック３０，４０にコンビニ袋や買い物袋などを引き掛けて使用することができる。
【００６３】
そして、このフック装置１においては、スライド可能なスライドフック４０をスライドさせて、隣接する固定フック３０に当接させると、固定フック３０の軸部３１の内側面３１ａ及び引掛け部３２の内側面３２ａが、スライドフック４０の軸部５１の側面５４ａ及び引掛け部５２の側面５２ａにぴったりと密接して、軸部３１，５１どうしが一体化して一つの大きな軸部になり（図３参照）、かつ、半円形状の引掛け部３２，５２どうしが整合して一体化し、軸方向から見てほぼ円形状をなすようになっている（図８参照）。
【００６４】
このように、２つのフック３０，４０が一体化されるので、強度を向上させた１つのフックとして利用することができ、重い袋Ｂでも問題なく引き掛けることができ、更に、使用していないフックが邪魔になることもなく、外観上の見栄えもよくなる。
【００６５】
特にこの実施形態では、上記のように隣接するフック３０，４０を当接させて、両引掛け部３２，５２どうしが整合したときに、両引掛け部３２，５２がほぼ円形状をなすように構成されているので、重い袋Ｂの持ち手Ｂ１などを引き掛ける際に、円形の引掛け部にスムーズに引っ掛けることができ、使い勝手を向上させることができると共に、見栄えも向上させることができる。
【００６６】
また、重いものを引き掛けることに関連して説明すると、この実施形態では、複数のフックのうち、固定フック３０がベース部材１０に一体的に形成されているので、この固定フック３０の強度を向上させることができ、重いものでも十分に引き掛けることができると共に、部品点数を減らして構造を簡略化することができる。
【００６７】
同じく、この実施形態では、ベース部材１０の少なくとも二箇所に形成された固定手段の少なくとも一つは、ベース部材１０の一端に形成され、被取付パネルＰの第１取付孔Ｐ１の裏側周縁に係合してベース部材１０を抜け止め保持する抜け止めフック１７とされている。すなわち、抜け止めフック１７が、被取付パネルＰの第１取付孔Ｐ１に係合して、ベース部材１０が抜け止め保持されているので、重いものでも、しっかりと安定して引き掛け支持することができる。また、抜け止めフック１７が形成されたベース部材１０の一端側に、固定フック３０を配置すれば、よりしっかりと安定して引き掛け支持することができる。
【００６８】
ところで、持ち手を有するいわゆるコンビニ袋は、商品を取り出した後は、自動車内でゴミ袋として用いられることがある。ただし、フックが一つしかない場合には、袋の開口部を大きく広げることができず、ゴミを捨てるのに不便であった。そのため、袋の開口部を大きく広げておけることが望まれていた。
【００６９】
これに対して、このフック装置１によれば、図９に示すように、スライドフック４０を固定フック３０から遠ざかるようにスライドさせて、隣接するフック３０，４０どうしの間隔を開けて配置し、袋Ｂの持ち手Ｂ１，Ｂ１を別々のフック３０，４０にそれぞれ引き掛けることによって、コンビニ袋等の袋Ｂの開口部を大きく広げて保持できるので、ゴミを入れ易く、かつ、揺れにくくなり、ゴミ袋として利用しやすくなり、利便性を向上させることができる。
【００７０】
図１０には、フック装置１の他の使用例が示されている。すなわち、図１０（ａ）に示すように、コンビニ袋などの袋Ｂが大きい場合には、袋Ｂの底部を自動車の床面Ｆに着けた状態で、持ち手Ｂ１をフックに引き掛けて使用することがある。この場合、持ち手Ｂ１が浮き上がってフックから外れてしまう虞れがある。しかし、このフック装置１では、少なくとも１つのフックがスライド可能であるので、隣接するフック３０，４０の間に持ち手Ｂ１の一側を挟むことにより、持ち手Ｂ１がフック３０，４０から外れることを確実に防止できる。
【００７１】
また、図１０（ｂ）には、ベース部材１０に対するスライドフック４０のスライド方向が上下方向になるように、フック装置１が縦向きで被取付パネルＰに固定された状態が示されている。この場合、スライドフック４０の高さを適宜変えることができるので、例えばコンビニ袋等の袋Ｂの底部が、ちょうどよく床に着くようにスライドフック４０の高さを調整することができる。
【００７２】
ところで、このフック装置１では、次のようにして、スライドフック４０は、ベース部材１０の所定位置にロックさせたり、そのロックを解除して他の位置にスライドさせたりすることができるようになっている。
【００７３】
すなわち、図６（ａ）に示すように、ベース部材１０のロック凹部１６に、スライドフック４０の係合片５７のロック突起６０が係合した状態では、スライドフック４０のスライド移動が規制されて停止した状態にロックされている。
【００７４】
上記ロック状態では、図６に示すように、ピン部材７０の差込部７２が、ピン挿通孔５１ａを通して本体５０内に挿入されていて、前記ピン部材７０先端の押圧部７５が、係合片５７の先端部５９に当接して押圧し、一対の係合片５７を内方にやや撓ませた状態となっており、この状態がピン部材７０と本体５０との間に設けられた、抜け止め手段（抜け止め孔５４ｂ及びこれに係合する抜け止め突起７７）により維持されている。
【００７５】
そのため、ピン部材７０が係合片５７の弾性復元力によって常時引き抜き方向に付勢され、抜け止め手段によって保持された状態となるので、係合片５７がロック凹部１６に係合して、外力が作用していない状態におけるピン部材７０のガタ付きを防止することができる。
【００７６】
そして、上記ロック状態からスライドフック４０をスライドさせる場合には、引掛け部５２表面に配置された頭部７１を押して、ピン部材７０に作用する上記引き抜き方向への付勢力に抗して、ピン部材７０の差込部７２を押し込む。すると、ピン部材７０の押圧部７５が各係合片５７の先端部５９に当接し、更に、ピン部材７０を各係合片５７の弾性力に抗して所定距離押し込むことにより、各係合片５７の先端部５９が押圧されて、各係合片５７のロック突起６０がベース部材１０のロック凹部１６から外れて、スライドフック４０のロック状態が解除される。
【００７７】
この状態でガイド溝１５に沿って、スライドフック４０をスライドさせることにより、同スライドフック４０を所定位置に移動させることができる。このとき、ピン部材７０を押し込んだまま、スライドフック４０をスライド移動させてもよいが、ロック凹部１６から係合片５７を外した後、ピン部材７０を押し込むのを止めることにより、係合片５７を拡開させて、収容凹部１３の内側面に摺接させつつ、スライドフック４０をスライド移動させてもよい。
【００７８】
そして、スライドフック４０の係合片５７が所定のロック凹部１６に位置すると、係合片５７が弾性復帰して再び拡開し、ロック凹部１６に係合するので、スライドフック４０をその位置で停止した状態にロックすることができる。
【００７９】
このように、ピン部材７０を押し込んで、スライドフック４０をスライド移動させるだけの簡単な操作で、スライドフック４０を所定位置で停止した状態にロックすることができる。
【００８０】
また、スライドフック４０に設けた係合片５７が、常時は本体５０外方に向けて弾性的に拡開して、ロック凹部１６に係合するようになっているので、スプリング等の付勢手段が不要で、部品点数を少なくして構造を簡単にでき、更に軽量化を図ることが可能で、製造コストも低減できる。
【００８１】
また、スライドフック４０をスライド移動させる際に、ガイド突起６２がガイド溝１５に摺接しつつ移動するようになっているが、スライドフック４０は合成樹脂から形成されているので、金属製の場合と比べて摺動抵抗が低いうえ、凹部に入り込んだ突起の摺動となるので、この点からも摺動抵抗を低く抑えることができ、スライドフック４０を軽い力でスムーズにスライド移動させることができる。
【００８２】
更に、係合片５７は、その先端部５９が、本体５０のピン挿通孔５１ａの入口方向に向けて該ピン挿通孔５１ａ内に入り込んでおり、係合片５７の先端部５９及び／又はピン部材７０の押圧部７５が斜面をなしていて（この実施形態では、係合片５７先端の斜面５９ａ、押圧部７５の斜面７５ａの両者）、ピン部材７０を所定距離押し込んだときに、ピン部材７０の押圧部７５が係合片５７の先端部５９と前記斜面を介して当接し、係合片５７が内方に撓んでロック凹部１６から抜け出すように構成されている。
【００８３】
このように、係合片５７の先端部及び／又はピン部材７０の押圧部７５が斜面をなしているので、ピン部材７０を所定距離押し込むことにより、係合片５７を内方にスムーズに撓ませることができ、また、ピン部材７０の押し込みをやめたときには、係合片５７の弾性復元力によって係合片５７をスムーズに拡径させ、ピン部材７０を初期位置に押し戻すことができる。
【００８４】
更に、ベース部材１０のロック凹部１６の内側面及び／又はそれに係合する係合片５７の外側面がテーパ部をなしており（この実施形態では、係合片５７のロック突起６０のテーパ部６０ａ）、ロック凹部１６と係合片５７とが前記テーパ部で係合するように構成されている。
【００８５】
そのため、スライドフック４０をロック位置に移動させたときに、ロック凹部１６及び係合片５７がテーパ部で係合して、係合片５７のガタ付きを防止することができ、その結果、スライドフック４０自体のガタ付きを抑制して、所定位置で安定してロックさせることができる。
【００８６】
また、この実施形態では、ガイド突起６２は、係合片５７の両側に一対設けられているので、スライドフック４０のスライド方向に沿って、ガイド突起６２を幅広く配置して設けることができ、スライドフック４０のスライド動作を安定させることができる。また、係合片５７の両側にガイド突起６２を配置することにより、スライド動作の際に係合片５７が引っ掛かったりすることを防止して、係合片５７を保護することができる。
【００８７】
図１１には、本発明のスライド式フック装置の他の実施形態が示されている。なお、前記実施形態と実質的に同一部分には同符号を付してその説明を省略する。
【００８８】
この実施形態のスライド式フック装置１ａ（以下、「フック装置１ａ」という）は、隣接するフックの引掛け部どうしの整合構造が、前記図１〜１０に示す実施形態と異なっている。
【００８９】
すなわち、図１１に示すように、固定フック３０の引掛け部３２の裏面側であって、その内側面３２ａ側から一対の整合凹部３２ｂ，３２ｂが形成されており、この固定フック３０に隣接するスライドフック４０の引掛け部５２の側面５２ａから、前記一対の整合凹部３２ｂ，３２ｂに適合した形状をなす、一対の整合凸部５２ｂ，５２ｂが、舌片状に突設されている。
【００９０】
そして、スライドフック４０を固定フック３０側へスライドさせて、フック３０，４０どうしを当接させると、スライドフック４０側の整合凸部５２ｂ，５２ｂが、固定フック３０の整合凹部３２ｂ，３２ｂに嵌合して、両引掛け部３２，５２どうしが凹凸整合するように構成されている。
【００９１】
この実施形態によれば、固定フック３０に袋Ｂの持ち手Ｂ１を引き掛けて、スライドフック４０を当接させて持ち手Ｂ１を挟み込んだとき、両引掛け部３２，５２どうしが凹凸整合するので、挟み込まれた持ち手Ｂ１が両引掛け部３２，５２の間から抜けにくくすることができる。
【図面の簡単な説明】
【００９２】
【図１】本発明のスライド式フック装置の一実施形態を示す分解斜視図である。
【図２】同フック装置のスライドするフックを示す分解斜視図である。
【図３】同フック装置を被取付パネルに固定した状態を示す断面図である。
【図４】同フック装置の固定手段を示しており、（ａ）は図３のIV−IV矢示線での断面図、（ｂ）は（ａ）の状態から係合解除ピンを押し込んだ状態を示す断面図である。
【図５】同フック装置のスライドするフックのスライド構造を示しており、（ａ）は図３のＶ−Ｖ矢示線での断面図、（ｂ）は（ａ）のＡ−Ａ矢示線での断面図である。
【図６】同フック装置のスライドするフックのロック構造を示しており、（ａ）は図３のVI−VI矢示線での断面図、（ｂ）は（ａ）のＢ−Ｂ矢示線での断面図である。
【図７】同フック装置のスライドするフックの、ロック解除状態を示す断面説明図である。
【図８】同フック装置の一使用例を示す説明図である。
【図９】図８に示す状態からスライドするフックをスライドさせた状態を示す説明図である。
【図１０】同フック装置の他の使用例を示しており、（ａ）は袋の持ち手を挟んだ場合の説明図、（ｂ）はフック装置を縦向きに固定した状態の説明図である。
【図１１】本発明のスライド式フック装置の他の実施形態を示す要部拡大斜視図である。
【符号の説明】
【００９３】
１,１ａ  スライド式フック装置（フック装置）
１０  ベース部材
１７  抜け止めフック
２０  挿入筒
２４  係合解除ピン
３０  固定フック
３１  軸部
３２  引掛け部
４０  フライドフック
５０  本体
５１  軸部
５２  引掛け部
５２ｂ，５２ｂ  整合凸部
７０  ピン部材
Ｂ  袋
Ｂ１  持ち手
Ｆ  床面
Ｐ  被取付パネル
【図１】
2010119644.tif 000003
【図２】
2010119644.tif 000004
【図３】
2010119644.tif 000005
【図４】
2010119644.tif 000006
【図５】
2010119644.tif 000007
【図６】
2010119644.tif 000008
【図７】
2010119644.tif 000009
【図８】
2010119644.tif 000010
【図９】
2010119644.tif 000011
【図１０】
2010119644.tif 000012
【図１１】
2010119644.tif 000013